(57)【要約】【課題】蓄電装置の蓄電池の状態に基づき蓄電装置を管理するサーバ装置の制御方法等を提供する。【解決手段】サーバ装置の制御方法は、充電装置及び蓄電装置の少なくとも一方より、充電装置に接続された蓄電装置の識別情報と蓄電装置に含まれる蓄電池の状態を示す値とを受信するステップ（ａ）と、蓄電装置の識別情報と蓄電池の状態を示す値とを対応付けて記憶するステップ（ｂ）と、充電装置による蓄電装置の充電が開始される前に、受信した蓄電池の状態を示す値と、受信した蓄電装置の識別情報に対応し且つ記憶されている蓄電池の過去の状態を示す値とを比較して、蓄電装置の充電の可否を判定するステップ（ｃ）と、判定された蓄電装置の充電の可否を示す情報を充電装置及び蓄電装置の少なくとも一方に送信するステップ（ｄ）とを備える。【選択図】図３
2017127181.tif 000002
【特許請求の範囲】
【請求項１】
充電装置及び蓄電装置の少なくとも一方より、前記充電装置に接続された前記蓄電装置の識別情報と前記蓄電装置に含まれる蓄電池の状態を示す値とを受信するステップ（ａ）と、
前記蓄電装置の識別情報と前記蓄電池の状態を示す値とを対応付けて記憶するステップ（ｂ）と、
前記充電装置による前記蓄電装置の充電が開始される前に、前記充電装置及び前記蓄電装置の少なくとも一方より受信した前記蓄電池の状態を示す値と、前記充電装置及び前記蓄電装置の少なくとも一方より受信した前記蓄電装置の識別情報に対応し且つ記憶されている前記蓄電池の過去の状態を示す値とを比較して、前記蓄電装置の充電の可否を判定するステップ（ｃ）と、
判定された前記蓄電装置の充電の可否を示す情報を前記充電装置及び前記蓄電装置の少なくとも一方に送信するステップ（ｄ）とを備えるサーバ装置の制御方法。
【請求項２】
前記ステップ（ｃ）において、
前記充電装置による前記蓄電装置の充電が開始される前に、前記充電装置及び前記蓄電装置の少なくとも一方より受信した前記蓄電池の状態を示す値が、前記蓄電池の過去の状態を示す値と比較して閾値未満変化していると、前記蓄電装置の充電可と判定し、
前記充電装置による前記蓄電装置の充電が開始される前に、前記充電装置及び前記蓄電装置の少なくとも一方より受信した前記蓄電池の状態を示す値が、前記蓄電池の過去の状態を示す値と比較して閾値以上変化していると、前記蓄電装置の充電不可と判定する、請求項１記載のサーバ装置の制御方法。
【請求項３】
前記ステップ（ｃ）において、
前記充電装置による前記蓄電装置の充電が開始される前に、前記充電装置及び前記蓄電装置の少なくとも一方より受信した前記蓄電池の状態を示す値が、前記蓄電池の過去の状態を示す値と比較して閾値以上変化していると、前記蓄電装置の充電可と判定し、
前記充電装置による前記蓄電装置の充電が開始される前に、前記充電装置及び前記蓄電装置の少なくとも一方より受信した前記蓄電池の状態を示す値が、前記蓄電池の過去の状態を示す値と比較して閾値未満変化していると、前記蓄電装置の充電不可と判定する、請求項１記載のサーバ装置の制御方法。
【請求項４】
前記充電装置による前記蓄電装置の充電が開始される前に、前記充電装置及び前記蓄電装置の少なくとも一方より受信した前記蓄電池の状態を示す値が、前記充電装置による前記蓄電装置の充電が開始される前の前記蓄電池の容量であり、前記蓄電池の過去の状態を示す値が、前記蓄電池の過去の充電完了時の容量である、請求項３記載のサーバ装置の制御方法。
【請求項５】
充電装置及び蓄電装置の少なくとも一方より、前記充電装置に接続された前記蓄電装置の識別情報と前記蓄電装置に含まれる蓄電池の状態を示す値とを受信する受信器と、
前記蓄電装置の識別情報と前記蓄電池の状態を示す値の履歴とを対応付けて記憶する記憶器と、
前記受信器より受信した前記蓄電池の状態を示す値と、前記受信器より受信した前記蓄電装置の識別情報に対応し且つ前記記憶器に記憶された前記蓄電池の過去の状態を示す値とを比較して、前記蓄電装置の充電の可否を判定する判定器と、
前記判定器で判定された前記蓄電装置の充電の可否を示す情報を前記充電装置及び前記蓄電装置の少なくとも一方に送信する送信器とを備えるサーバ装置。
【発明の詳細な説明】
【技術分野】
【０００１】
本開示は、蓄電装置を管理するサーバ装置の制御方法等に関する。
【背景技術】
【０００２】
従来、蓄電池を備える蓄電装置を充電するための様々な充電システムが提案されている。例えば、特許文献１には、蓄電装置の充電装置を、中央管理装置によって通信回線を介して管理する充電システムが、記載されている。
【先行技術文献】
【特許文献】
【０００３】
【特許文献１】特開２００４−２２２４５７号公報
【発明の概要】
【発明が解決しようとする課題】
【０００４】
蓄電装置の蓄電池は、使用されていくに従い、その性能を低下させる、つまり劣化する。また、蓄電装置の蓄電池は、異常を生じることもある。劣化又は異常を生じた蓄電池を使用し続けることは、その利用者に不便さを強いることになる。上記事情を鑑み、例示的でないある実施形態は、蓄電装置の蓄電池の状態に基づき蓄電装置を管理するサーバ装置の制御方法等を提供する。
【課題を解決するための手段】
【０００５】
本開示の一態様に係るサーバ装置の制御方法は、充電装置及び蓄電装置の少なくとも一方より、充電装置に接続された蓄電装置の識別情報と蓄電装置に含まれる蓄電池の状態を示す値とを受信するステップ（ａ）と、蓄電装置の識別情報と蓄電池の状態を示す値とを対応付けて記憶するステップ（ｂ）と、充電装置による蓄電装置の充電が開始される前に、充電装置及び蓄電装置の少なくとも一方より受信した蓄電池の状態を示す値と、充電装置及び蓄電装置の少なくとも一方より受信した蓄電装置の識別情報に対応し且つ記憶されている蓄電池の過去の状態を示す値とを比較して、蓄電装置の充電の可否を判定するステップ（ｃ）と、判定された蓄電装置の充電の可否を示す情報を充電装置及び蓄電装置の少なくとも一方に送信するステップ（ｄ）とを備える。
【０００６】
なお、上述の構成の包括的又は具体的な態様は、装置、方法、集積回路、コンピュータプログラム又はコンピュータ読み取り可能なＣＤ−ＲＯＭなどの非一時的な記録媒体で実現されてもよく、システム、装置、方法、集積回路、コンピュータプログラム及び記録媒体の任意な組み合わせで実現されてもよい。
【発明の効果】
【０００７】
本開示の一態様に係るサーバ装置の制御方法等は、蓄電装置の蓄電池の状態に基づき蓄電装置を管理することができる。
【図面の簡単な説明】
【０００８】
【図１】図１は、実施の形態に係るサーバ装置を含む充電システムを概略的に示す概念図である。
【図２】図２は、実施の形態に係るサーバ装置を含む充電システムの構成を示すブロック図である。
【図３】図３は、実施の形態に係るサーバ装置を含む充電システムにおけるデータ遷移を示す概念図である。
【図４】図４は、実施の形態に係るサーバ装置を含む充電システムの動作を示すフローチャートである。
【図５】図５は、実施の形態に係るサーバ装置を含む充電システムの動作を示すフローチャートである。
【図６】図６は、実施の形態に係るサーバ装置を含む充電システムの動作を示すフローチャートである。
【図７】図７は、実施の形態に係るサーバ装置を含む充電システムの変形例の構成を示すブロック図である。
【発明を実施するための形態】
【０００９】
（本開示の基礎となった知見）
本発明者は、「背景技術」の欄において記載した蓄電装置の充電装置を中央管理装置によって通信回線を介して管理する充電システムに関し、以下の課題を見出した。蓄電池を備えた蓄電装置を貸与する貸与システムが考案されており、この貸与システムでは、蓄電装置に充電を行った回数に応じた利用料金が、蓄電装置の借用者に課される場合がある。この場合、蓄電池に劣化又は異常が生じていると、１回の充電で蓄電池に蓄積できる電力量が少なくなるため、充電の頻度が増加する。このことは、蓄電装置の借用者に不利益を与える。このため、貸与している蓄電装置の状態を判定し、その判定に基づき蓄電装置の充電を管理することが、求められる。なお、借用者は、蓄電装置の使用者の一例であって、これに限定されるものではない。これについては、以降も同様である。
【００１０】
そこで、本開示の第１態様に係るサーバ装置の制御方法は、充電装置及び蓄電装置の少なくとも一方より、充電装置に接続された蓄電装置の識別情報と蓄電装置に含まれる蓄電池の状態を示す値とを受信するステップ（ａ）と、蓄電装置の識別情報と蓄電池の状態を示す値とを対応付けて記憶するステップ（ｂ）と、充電装置による蓄電装置の充電が開始される前に、充電装置及び蓄電装置の少なくとも一方より受信した蓄電池の状態を示す値と、充電装置及び蓄電装置の少なくとも一方より受信した蓄電装置の識別情報に対応し且つ記憶されている蓄電池の過去の状態を示す値とを比較して、蓄電装置の充電の可否を判定するステップ（ｃ）と、判定された蓄電装置の充電の可否を示す情報を充電装置及び蓄電装置の少なくとも一方に送信するステップ（ｄ）とを備える。
【００１１】
これにより、サーバ装置の制御方法は、蓄電装置の蓄電池の状態が、充電に適切か不適切であるかを、蓄電池の状態を示す値と蓄電池の過去の状態を示す値とから、判定する。よって、充電に不適切な蓄電池に対する充電が抑制され得る。従って、蓄電装置の蓄電池の状態に基づき蓄電装置を管理することが、可能になる。
【００１２】
なお、蓄電装置と充電装置との接続は、電気的な接続を含み得る。上記電気的な接続は、有線による接続であっても無線による接続であってもよい。ステップ（ａ）において、充電装置及び蓄電装置から受信する場合には、サーバ装置が、充電装置から充電装置の識別情報を受信し、蓄電装置から蓄電装置の識別情報及び蓄電池の状態を示す値を充電装置を介して受信する形態が含まれ得る。また、ステップ（ａ）において、充電装置及び蓄電装置から受信する場合には、サーバ装置が、充電装置及び蓄電装置のそれぞれから、充電装置の識別情報並びに蓄電装置の識別情報及び蓄電池の状態を示す値を受信する形態も含まれ得る。そして、上記のような受信の場合、上記２つの形態のいずれであってもよい。また、ステップ（ａ）での受信は、蓄電装置の充電の可否の判定のために新たな充電を開始する前に蓄電池の状態を示す値を受信するケースと、ステップ（ｂ）での記憶のために蓄電池の状態を示す値を受信するケースとを含み得る。ステップ（ｂ）は、新たな充電より前の近傍時期（例えば、前回）に実施された蓄電装置の充電に際して、実行されたステップ（ａ）で受信した蓄電装置の識別情報及びその蓄電池の状態を示す値に基づき実行され得、蓄電装置の識別情報と蓄電池の状態を示す値とを対応付けて蓄電池の状態の履歴データ等のデータとして記憶してよい。
【００１３】
上記データは、充電を開始するための処理前に実行されたステップ（ａ）で受信したデータであってもよく、充電処理中に実行されたステップ（ａ）で受信したデータであってもよく、充電処理後に実行されたステップ（ａ）で受信したデータであってもよい。蓄電装置の充電にあたって、充電開始前から充電処理後までで、適宜選択されたタイミングで実行されたステップ（ａ）で受信したデータが、履歴データ等のデータとして記憶されてよい。
【００１４】
本開示の第２態様に係るサーバ装置の制御方法は、第１態様のサーバ装置の制御方法において、ステップ（ｃ）では、充電装置による蓄電装置の充電が開始される前に、充電装置及び蓄電装置の少なくとも一方より受信した蓄電池の状態を示す値が、蓄電池の過去の状態を示す値と比較して閾値未満変化していると、蓄電装置の充電可と判定し、充電装置による蓄電装置の充電が開始される前に、充電装置及び蓄電装置の少なくとも一方より受信した蓄電池の状態を示す値が、蓄電池の過去の状態を示す値と比較して閾値以上変化していると、蓄電装置の充電不可と判定してもよい。
【００１５】
これにより、蓄電装置の充電が開始される前に、蓄電装置の充電の可否が判定される。充電装置及び蓄電装置の少なくとも一方より受信した蓄電池の状態を示す値における蓄電池の過去の状態を示す値に対する変化量が、閾値以上であると、蓄電装置の充電不可が判定される。例えば、上記の蓄電池の状態を示す値を蓄電池の健全性に関連するパラメータとすると、蓄電池の状態を示す値の上記変化量が閾値以上となるような場合、蓄電池が不健全な状態であるとみなすことができる。よって、不健全な状態の蓄電池への充電が抑制される。
【００１６】
また、本開示の第３態様に係るサーバ装置の制御方法は、第１態様のサーバ装置の制御方法において、ステップ（ｃ）では、充電装置による蓄電装置の充電が開始される前に、充電装置及び蓄電装置の少なくとも一方より受信した蓄電池の状態を示す値が、蓄電池の過去の状態を示す値と比較して閾値以上変化していると、蓄電装置の充電可と判定し、充電装置による蓄電装置の充電が開始される前に、充電装置及び蓄電装置の少なくとも一方より受信した蓄電池の状態を示す値が、蓄電池の過去の状態を示す値と比較して閾値未満変化していると、蓄電装置の充電不可と判定してもよい。
【００１７】
これにより、蓄電装置の充電が開始される前に、蓄電装置の充電の可否が判定される。充電装置及び蓄電装置の少なくとも一方より受信した蓄電池の状態を示す値における蓄電池の過去の状態を示す値に対する変化量が、閾値未満であると、蓄電装置の充電不可が判定される。例えば、上記の蓄電池の状態を示す値を、蓄電池の充電状態に関連するパラメータとすると、蓄電池の状態を示す値の上記変化量が閾値未満となるような場合、蓄電池が、完全放電状態でもその近傍の状態でもなく、少量の放電量の状態で充電される場合がある。よって、蓄電池への少量での充放電の繰り返しが抑えられ、それにより、蓄電池の劣化の進行が抑制される。
【００１８】
また、本開示の第４態様に係るサーバ装置の制御方法では、第３態様のサーバ装置の制御方法において、充電装置による蓄電装置の充電が開始される前に、充電装置及び蓄電装置の少なくとも一方より受信した蓄電池の状態を示す値が、充電装置による蓄電装置の充電が開始される前の蓄電池の容量であり、蓄電池の過去の状態を示す値が、蓄電池の過去の充電完了時の容量であってもよい。これにより、蓄電池の状態を示す値を、蓄電池の充電状態に関連するパラメータである蓄電池の容量とすることができる。
【００１９】
また、本開示の第５態様に係るサーバ装置は、充電装置及び蓄電装置の少なくとも一方より、充電装置に接続された蓄電装置の識別情報と蓄電装置に含まれる蓄電池の状態を示す値とを受信する受信器と、蓄電装置の識別情報と蓄電池の状態を示す値の履歴とを対応付けて記憶する記憶器と、受信器より受信した蓄電池の状態を示す値と、受信器より受信した蓄電装置の識別情報に対応し且つ記憶器に記憶された蓄電池の過去の状態を示す値とを比較して、蓄電装置の充電の可否を判定する判定器と、判定器で判定された蓄電装置の充電の可否を示す情報を充電装置及び蓄電装置の少なくとも一方に送信する送信器とを備える。
【００２０】
これにより、サーバ装置は、蓄電装置の蓄電池の状態が、充電に適切か不適切であるかを、蓄電池の状態を示す値と蓄電池の過去の状態を示す値とから、判定する。よって、充電に不適切な蓄電池に対する充電が抑制され得る。
【００２１】
なお、上述の構成の包括的又は具体的な態様は、装置、方法、集積回路、コンピュータプログラム又はコンピュータ読み取り可能なＣＤ−ＲＯＭなどの非一時的な記録媒体で実現されてもよく、システム、装置、方法、集積回路、コンピュータプログラム及び記録媒体の任意な組み合わせで実現されてもよい。
【００２２】
以下、実施の形態について、図面を参照しつつ具体的に説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、第１、第２及び第３などの序数が、構成要素などに対して、表現上、適宜付け加えられてもよい。
【００２３】
また、各図は模式図であり、必ずしも厳密に図示されたものではない。さらに、各図において、実質的に同一の構成要素に対しては同一の符号を付しており、重複する説明は省略又は簡略化される場合がある。また、以下の実施の形態の説明において、略平行、略直交のような「略」を伴った表現が、用いられる場合がある。例えば、略平行とは、完全に平行であることを意味するだけでなく、実質的に平行である、すなわち、例えば数％程度の差異を含むことも意味する。他の「略」を伴った表現についても同様である。
【００２４】
（実施の形態）
図１は、本実施の形態に係るサーバ装置１０４を含む充電システム１００の概略的な構成を示す概念図である。充電システム１００は、蓄電装置１０１と、充電装置１０２と、ルータ１０３と、サーバ装置１０４と、通信端末１０５とを備える。蓄電装置１０１は、１つ以上の充放電可能な蓄電池を含む。これに限定するものではないが、本実施の形態では、蓄電装置１０１は、借用者へのレンタル商品として取り扱われ、充電装置１０２とセットで貸し出されるものとして説明する。
【００２５】
蓄電装置１０１は、充電装置１０２と電気的に接続されるように構成される。上記の電気的な接続を介して、蓄電装置１０１は、充電装置１０２から給電を受けることができる。蓄電装置１０１は、充電装置１０２と物理的に接続されることによって充電装置１０２に電気的に接続されてもよく、充電装置１０２と物理的に接続されることなく充電装置１０２に電気的に接続されてもよい。例えば、蓄電装置１０１は、コネクタ、端子等を介して充電装置１０２と物理的に接続されることによって電気的に接続され、充電装置１０２から給電を受け得る。又は、蓄電装置１０１は、充電装置１０２と物理的に接続されることなく充電装置１０２に接近することによって電気的に接続され、非接触給電方式でつまり無線により充電装置１０２から給電を受け得る。
【００２６】
さらに、蓄電装置１０１は、有線通信又は無線通信で充電装置１０２に対して信号の送受信を実施するように構成されている。例えば、蓄電装置１０１と充電装置１０２との間の無線通信には、Ｂｌｕｅｔооｔｈ（登録商標）、ＺｉｇＢｅｅ（登録商標）等の近距離無線通信などが適用されてもよい。本実施の形態では、蓄電装置１０１は、充電装置１０２の端子にセットされることによって、端子を介して充電装置１０２から給電を受けることができ、近距離無線通信を介して充電装置１０２と通信を行うことができるように構成される。
【００２７】
充電装置１０２は、電力系統等の電源に電気的に接続され、電源の電力を蓄電装置１０１に供給する。電源が電力系統のような交流電源である場合、充電装置１０２は、電源からの交流電力を直流電力に変換して蓄電装置１０１に供給する。電源が直流電源である場合、充電装置１０２は、電源の直流電力を蓄電装置１０１に供給する。本実施の形態では、充電装置１０２は、電力系統に電気的に接続されるように構成されている。さらに、充電装置１０２は、ルータ１０３等を介してサーバ装置１０４と通信するように構成されている。なお、充電装置１０２は、ルータ１０３等を介さずに、サーバ装置１０４と直接通信するように構成されてもよい。上記通信には、有線通信が適用されてもよく、無線通信が適用されてもよい。
【００２８】
ルータ１０３は、充電装置１０２とサーバ装置１０４との間の通信を中継する通信装置である。具体的には、ルータ１０３は、充電装置１０２がインターネット等の通信網を介してサーバ装置１０４と通信するための中継装置である。例えば、ルータ１０３と充電装置１０２との間の通信には、Ｗｉ−Ｆｉ（登録商標）（Wireless Fidelity）などの無線ＬＡＮ（Local Area Network）が適用されてもよく、ケーブルを用いた有線通信が適用されてもよく、その他の無線通信又は有線通信が適用されてもよい。ルータ１０３は、インターネット等の通信網に、有線ＬＡＮ等の有線通信、又は無線ＬＡＮ等の無線通信を介して接続される。本実施の形態では、ルータ１０３と充電装置１０２との間の通信に、無線ＬＡＮが適用され、ルータ１０３は、有線通信を介してインターネットに接続する。このため、充電装置１０２及びルータ１０３は、ルータ１０３が有線通信を介してインターネットに接続可能な環境下に、例えば蓄電装置１０１の借用者の家等に配置され得る。
【００２９】
サーバ装置１０４は、充電装置１０２を用いた蓄電装置１０１の充電を管理する装置である。サーバ装置１０４は、コンピュータ等の情報処理装置でもよい。サーバ装置１０４は、１つ以上のサーバ装置を含んでもよく、クラウドシステムを構成してもよい。サーバ装置１０４は、インターネット等の通信網を介して充電装置１０２と通信し、充電装置１０２を用いた蓄電装置１０１の充電を管理する。本実施の形態では、上述したように、サーバ装置１０４は、インターネットを介して充電装置１０２と通信する。
【００３０】
また、サーバ装置１０４は、通信端末１０５と通信可能であってもよい。サーバ装置１０４と通信端末１０５との間の通信には、第３世代移動通信システム（３Ｇ）、第４世代移動通信システム（４Ｇ）、又はＬＴＥ（登録商標）等のような移動通信システムで利用されるモバイル通信規格が適用されてもよい。より具体的には、ＩＭＴ（International Mobile Telecommunications）−２０００又はＩＭＴ−Ａｄｖａｎｃｅｄ等が適用されてもよい。
【００３１】
通信端末１０５は、サーバ装置１０４等と通信可能な装置である。通信端末１０５は、コンピュータ等のような情報処理装置でもよい。より具体的には、通信端末１０５は、携帯電話でもよく、スマートフォン、スマートウォッチ、タブレット、小型パーソナルコンピュータ等の携帯端末でもよい。本実施の形態では、通信端末１０５は、蓄電装置１０１及び充電装置１０２の借用者の通信端末である。
【００３２】
図２を参照して、蓄電装置１０１、充電装置１０２及びサーバ装置１０４の詳細な構成を説明する。なお、図２は、実施の形態に係るサーバ装置１０４を含む充電システム１００の構成を示すブロック図である。蓄電装置１０１は、蓄電池１１１と、検知器１１２と、制御器１１３と、通信器１１４と、表示器１１５と、記憶器１１６とを備える。
【００３３】
蓄電池１１１は、電気エネルギーを蓄積及び放出可能な構成要素である。蓄電池１１１は、リチウムイオン二次電池、ニッケル水素電池等の充放電可能な二次電池の単電池であってもよく、複数の単電池によって構成される組電池であってもよい。
【００３４】
検知器１１２は、蓄電池１１１の状態を検知する構成要素である。具体的には、検知器１１２は、蓄電池１１１の充電電圧、放電電圧及び内部抵抗等を検知し得る。さらに、検知器１１２は、蓄電池１１１に蓄積されている電気量である電気残量を検知してもよく、蓄電池１１１の充電率を検知してもよい。検知器１１２は、検知結果を制御器１１３に送るように構成されてもよく、記憶器１１６に送るように構成されてもよい。例えば、検知器１１２は、電圧計、電流計等から構成されてもよい。
【００３５】
記憶器１１６は、種々の情報を記憶する構成要素である。記憶器１１６は、半導体メモリ等から構成されてもよく、揮発性メモリ又は不揮発性メモリ等から構成されてよい。また、記憶器１１６は、読み取り専用のメモリ、つまり、書き換え不可のメモリでもよい。記憶器１１６は、蓄電装置１０１に関する情報及び検知器１１２の検知結果等を記憶する。蓄電装置１０１に関する情報は、蓄電装置１０１の識別番号などの識別情報、蓄電装置１０１の設計情報及び蓄電池１１１の製造情報等を含み得る。蓄電装置１０１の設計情報は、蓄電池１１１における単電池の数量、単電池の直列接続又は並列接続などの接続形態、及び蓄電装置１０１の電気容量（単位：Ａｈなど）等を含み得る。蓄電池１１１の製造情報は、蓄電池１１１の単電池に関する製造情報を含み、具体的には、単電池の種類、電気容量、製造メーカ、製造年月日、製造工場、品番及び製造ロット等を含み得る。
【００３６】
通信器１１４は、蓄電装置１０１が充電装置１０２等と通信するための構成要素である。通信器１１４は、通信インタフェースを含む通信回路であってもよい。通信器１１４は、制御器１１３による制御に従って、充電装置１０２等と通信する。具体的には、通信器１１４は、充電装置１０２の第一通信器１２４と有線通信又は無線通信で通信し、第一通信器１２４との間で情報の送受信をするように構成されている。本実施の形態では、通信器１１４は、第一通信器１２４と近距離無線通信で通信する。
【００３７】
表示器１１５は、情報を表示する構成要素である。表示器１１５は、液晶パネルでもよく、インジケータでもよい。表示器１１５は、制御器１１３による制御に従って、情報を表示してもよい。具体的には、表示器１１５は、蓄電装置１０１に関する情報を表示し、例えば、蓄電池１１１の電気残量の表示、蓄電装置１０１が充電されていることを示す充電中表示、充電完了表示、蓄電装置１０１が放電状態であることを示す放電表示、及び蓄電装置１０１に発生した異常の報知等の情報を表示し得る。
【００３８】
制御器１１３は、蓄電装置１０１の動作を制御する構成要素である。例えば、制御器１１３は、蓄電池１１１の充電及び放電を制御するコンバータを備えてもよい。制御器１１３は、制御機能を備えるものであればよく、どのように実現されてもよい。例えば、制御器１１３は、専用のハードウェアで構成されてもよい。また例えば、制御器１１３は、各構成要素に適したソフトウェアプログラムを実行することによって実現されてもよい。この場合、制御器１１３は、例えば、演算処理部（図示せず）と、制御プログラムを記憶する記憶部（図示せず）とを備えてもよい。演算処理部としては、ＭＰＵ（Micro Processing Unit）、ＣＰＵ（Central Processing Unit）などが例示される。記憶部としては、メモリなどが例示される。なお、制御器１１３は、集中制御を行う単独の制御器で構成されていてもよく、互いに協働して分散制御を行う複数の制御器で構成されていてもよい。
【００３９】
制御器１１３は、検知器１１２、通信器１１４及び表示器１１５の制御、並びに記憶器１１６への情報の格納及び記憶器１１６に格納された情報の取り出し等を実施することができる。具体的には、制御器１１３は、検知器１１２を制御して、蓄電池１１１の状態を取得する。制御器１１３は、通信器１１４を制御して、充電装置１０２と情報の送受信を行う。制御器１１３は、表示器１１５を制御して、情報を表示する。
【００４０】
制御器１１３は、検知器１１２から受け取る蓄電池１１１の状態を示す値及び蓄電池１１１の充放電結果等から、蓄電池１１１の状態を示す値を算出し、算出した値を記憶器１１６に格納してもよい。例えば、制御器１１３は、蓄電池１１１の総充放電回数、学習容量、総使用時間、充放電サイクル数、満充電回数、蓄電池容量及び総充放電量等のパラメータの値を算出してもよい。
【００４１】
総充放電回数は、蓄電池１１１を充電した総回数である総充電回数と放電した総回数である総放電回数とを合計して扱うものであってもよく、蓄電池１１１の総充電回数と総放電回数とを個別に扱うものであってもよい。１回の充電は、蓄電池１１１に対して単に１回の充電が実施されれば１回としてカウントされ、１回の放電は、蓄電池１１１に対して単に１回の放電が実施されれば１回としてカウントされてもよい。又は、１回の充電は、単なる充電が１回以上にわたってもそれぞれがカウントされず、蓄電池１１１への充電量の和が満充電容量の値に達する毎に１回としてカウントされるものであってもよい。同様に、１回の放電は、単なる放電が１回以上にわたってもそれぞれがカウントされず、蓄電池１１１からの放電量の和が満充電容量の値に達する毎に１回としてカウントされるものであってもよい。例えば、蓄電池１１１への充電量が満充電容量の値に達する充電が、１回の充電としてカウントされ、蓄電池１１１の放電量が満充電容量の値に達する放電が、１回の放電としてカウントされる場合、充電量又は放電量が満充電容量の値の５０％である場合、０．５回の充電又は放電とされる。
【００４２】
学習容量は、蓄電池１１１の初期の満充電容量に対する現在の満充電容量の割合を示す。例えば、蓄電池１１１を完全放電を行った後に満充電を行った場合の蓄電池１１１の容量に基づき、学習容量が算出され得る。学習容量は、ＳＯＨ（State of Health）に対応する。また、総使用時間は、蓄電池１１１の最初の充電時からの経過時間である。
【００４３】
充放電サイクル数は、充電及び放電を１サイクルとしたサイクル数の総数である。充放電サイクルでは、蓄電池１１１に対して単に１回の充電と１回の放電とが実施されれば１サイクルと規定されてもよい。又は、蓄電池１１１への充電量の和が満充電容量の値に達すると１回の充電とし、蓄電池１１１からの放電量の和が満充電容量の値に達すると１回の放電とし、上記の１回の充電と１回の放電とが実施されれば１サイクルと規定されてもよい。又は、１回の充電及び放電は、充電量及び放電量が満充電容量の所定の割合に達する場合としてもよい。また、満充電回数は、蓄電池１１１が満充電状態に到達した回数である。
【００４４】
蓄電池容量は、蓄電池１１１における電気残量である。また、総充放電量は、製造日から蓄電池１１１に対して行った各充電での充電量の総和である総充電量と、製造日から蓄電池１１１に対して行った各放電での放電量の総和である総放電量とを合計して扱うものとしてもよく、蓄電池１１１の総充電量と総放電量とを個別に扱うものであってもよい。
【００４５】
充電装置１０２は、制御器１２３と、第一通信器１２４と、表示器１２５と、記憶器１２６と、第二通信器１２７と、電源１２８とを備える。電源１２８は、蓄電装置１０１へ電力を供給する構成要素である。具体的には、電源１２８は、電力系統から蓄電装置１０１へ電力を供給する電気回路であってよい。電源１２８は、電力系統からの交流電力を直流電力に変換し、充電装置１０２に電気的に接続された蓄電装置１０１に送る。
【００４６】
記憶器１２６は、種々の情報を記憶する構成要素である。記憶器１２６は、半導体メモリ等から構成されてもよく、揮発性メモリ又は不揮発性メモリ等から構成されてよい。また、記憶器１２６は、読み取り専用のメモリ、つまり、書き換え不可のメモリでもよい。記憶器１２６は、充電装置１０２に関する情報を記憶する。充電装置１０２に関する情報は、充電装置１０２の識別番号などの識別情報及び品番等を含み得る。
【００４７】
第一通信器１２４は、充電装置１０２が蓄電装置１０１等と通信するための構成要素である。第一通信器１２４は、通信インタフェースを含む通信回路であってもよい。第一通信器１２４は、制御器１２３による制御に従って、蓄電装置１０１等と通信する。第一通信器１２４は、蓄電装置１０１の通信器１１４と有線通信又は無線通信を介して通信し、通信器１１４との間で情報の送受信をするように構成されている。本実施の形態では、第一通信器１２４は、通信器１１４と近距離無線通信を介して通信する。
【００４８】
第二通信器１２７は、充電装置１０２がサーバ装置１０４等と通信するための構成要素である。第二通信器１２７は、通信インタフェースを含む処理回路であってもよい。第二通信器１２７は、制御器１２３による制御に従って、ルータ１０３を介して、サーバ装置１０４と通信する。第二通信器１２７は、ルータ１０３及びインターネット等の通信網を介して、サーバ装置１０４の第一通信器１４３（図３参照）と通信し、第一通信器１４３との間で情報の送受信をするように構成されている。第二通信器１２７は、ルータ１０３と有線通信又は無線通信で通信し、ルータ１０３は、有線通信又は無線通信を介してインターネットに接続する。本実施の形態では、第二通信器１２７は、無線通信、具体的にはＷｉ−Ｆｉ（登録商標）を介してルータ１０３と通信し、ルータ１０３は、有線通信を介してインターネットに接続する。
【００４９】
表示器１２５は、情報を表示する構成要素である。表示器１２５は、液晶パネルでもよく、インジケータでもよい。表示器１２５は、制御器１２３による制御に従って、情報を表示してもよい。具体的には、表示器１２５は、蓄電装置１０１への充電を実施中であることを示す充電中表示、正常な充電完了の表示、異常を伴った充電停止の表示、サーバ装置１０４から送られる指令、及び充電装置１０２に発生した異常の報知等の情報を表示し得る。
【００５０】
制御器１２３は、充電装置１０２の動作を制御する構成要素である。例えば、制御器１２３は、蓄電装置１０１の充電を制御するコンバータを備えてもよく、電源１２８による電力供給を制御することにより、蓄電装置１０１の充電を制御してもよい。制御器１２３は、制御機能を備えるものであればよく、どのように実現されてもよい。例えば、制御器１２３は、専用のハードウェアで構成されてもよい。また例えば、制御器１２３は、各構成要素に適したソフトウェアプログラムを実行することによって実現されてもよい。この場合、制御器１２３は、例えば、演算処理部（図示せず）と、制御プログラムを記憶する記憶部（図示せず）とを備えてもよい。演算処理部としては、ＭＰＵ、ＣＰＵなどが例示される。記憶部としては、メモリなどが例示される。なお、制御器１２３は、集中制御を行う単独の制御器で構成されていてもよく、互いに協働して分散制御を行う複数の制御器で構成されていてもよい。
【００５１】
制御器１２３は、第一通信器１２４、第二通信器１２７、電源１２８及び表示器１２５の制御、並びに記憶器１２６への情報の格納及び記憶器１２６に格納された情報の取り出し等を実施することができる。具体的には、制御器１２３は、電源１２８を制御して、充電装置１０２に電気的に接続された蓄電装置１０１に対して、所定の電圧及び電流での電力の供給及び供給停止を実施する。制御器１２３は、第一通信器１２４を制御して、蓄電装置１０１と情報の送受信を行い、第二通信器１２７を制御して、サーバ装置１０４と情報の送受信を行う。制御器１２３は、表示器１２５を制御して、情報を表示する。
【００５２】
充電装置１０２及びルータ１０３は、ユーザ環境１０７に配置され得る。ユーザ環境１０７は、充電が行われる場所である。ユーザ環境１０７は、例えば、蓄電装置１０１及び充電装置１０２の借用者の家又は職場等の借用者が長時間滞在する場所としてよい。本実施の形態では、充電は、ユーザ環境１０７において行われるが、ユーザ環境１０７とは異なる場所で行われてもよい。
【００５３】
サーバ装置１０４は、課金システム１０６と通信を行う。課金システム１０６は、課金処理を行う構成要素である。課金システム１０６は、サーバ装置１０４と別個であってもよく、サーバ装置１０４に含まれていてもよい。課金システム１０６は、コンピュータ等のような情報処理装置であってもよい。課金システム１０６は、複数の装置で構成されてもよい。例えば、課金システム１０６は、蓄電装置１０１の貸与に関する料金を計算する。より具体的には、課金システム１０６は、充電装置１０２を用いた蓄電装置１０１の充電が行われる度に、蓄電装置１０１の貸与に関する料金に充電利用料金を加算する。
【００５４】
図２及び図３を参照して、サーバ装置１０４の詳細な構成を説明する。なお、図３は、サーバ装置１０４を含む充電システム１００におけるデータ遷移を示す概念図である。サーバ装置１０４は、制御器１４１と、記憶器１４２と、第一通信器１４３と、第二通信器１４４とを備える。
【００５５】
第一通信器１４３は、サーバ装置１０４が充電装置１０２等と通信するための構成要素である。第一通信器１４３は、通信インタフェースを含む処理回路であってもよい。第一通信器１４３は、制御器１４１による制御に従って、ルータ１０３を介して、充電装置１０２等と通信する。具体的には、第一通信器１４３は、有線通信又は無線通信を介してインターネットに接続し、インターネット及びルータ１０３を介して充電装置１０２の第二通信器１２７と通信する。第一通信器１４３は、受信器１４３ａと送信器１４３ｂとを含む。受信器１４３ａは、情報を受信するための構成要素である。受信器１４３ａは、受け取った情報を制御器１４１に送ってもよく、記憶器１４２に送ってもよい。送信器１４３ｂは、情報を送信するための構成要素である。送信器１４３ｂは、制御器１４１又は記憶器１４２から情報を受け取るように構成されてよく、受け取った情報を、ルータ１０３を介して、充電装置１０２等に送る。
【００５６】
第二通信器１４４は、サーバ装置１０４が通信端末１０５等と通信するための構成要素である。第二通信器１４４は、通信インタフェースを含む処理回路であってもよい。第二通信器１４４は、制御器１４１による制御に従って、通信端末１０５等と通信する。具体的には、第二通信器１４４は、３Ｇ、４Ｇ又はＬＴＥ等のモバイル通信規格の電話回線と接続され、蓄電装置１０１及び充電装置１０２の借用者の通信端末１０５と通信する。
【００５７】
記憶器１４２は、種々の情報を記憶する構成要素である。記憶器１４２は、半導体メモリ等から構成されてもよく、揮発性メモリ又は不揮発性メモリ等から構成されてよい。また、記憶器１４２は、読み取り専用のメモリ、つまり、書き換え不可のメモリでもよい。記憶器１４２は、サーバ装置１０４内に組み込まれるものであってもよく、サーバ装置１０４がアクセス可能なクラウドサーバ内に存在するものであってもよい。
【００５８】
記憶器１４２は、貸与された蓄電装置１０１の識別情報を記憶している。記憶器１４２は、貸与された蓄電装置１０１及び充電装置１０２の組み合わせと対応付けて、それぞれの識別情報を記憶してもよい。さらに、記憶器１４２は、蓄電装置１０１及び充電装置１０２に関する情報も記憶し得る。また、記憶器１４２は、蓄電装置１０１及び充電装置１０２の借用者に関する情報を、蓄電装置１０１及び充電装置１０２の少なくとも一方の識別情報と対応付けて、記憶し得る。借用者に関する情報には、借用者の通信端末１０５に関する情報が含まれ得る。また、記憶器１４２は、借用者による充電装置１０２を用いた蓄電装置１０１の充電実施履歴も、蓄電装置１０１及び充電装置１０２の少なくとも一方の識別情報と対応付けて、記憶し得る。また、記憶器１４２は、充電装置１０２から第一通信器１４３が受信した情報を、蓄電装置１０１及び充電装置１０２の少なくとも一方の識別情報と対応付けて、記憶し得る。記憶器１４２は、例えば、充電装置１０２を介して蓄電装置１０１の蓄電池１１１の状態を示す情報を受け取ると、上記情報を蓄電池１１１の状態履歴データとして記憶する。
【００５９】
制御器１４１は、サーバ装置１０４の動作を制御する構成要素である。制御器１４１は、制御機能を備えるものであればよく、どのように実現されてもよい。例えば、制御器１４１は、専用のハードウェアで構成されてもよい。また例えば、制御器１４１は、各構成要素に適したソフトウェアプログラムを実行することによって実現されてもよい。この場合、制御器１４１は、例えば、演算処理部（図示せず）と、プログラムを記憶する記憶部（図示せず）とを備えてもよい。演算処理部としては、ＭＰＵ、ＣＰＵなどが例示される。記憶部としては、メモリなどが例示される。なお、制御器１４１は、集中制御を行う単独の制御器で構成されていてもよく、互いに協働して分散制御を行う複数の制御器で構成されていてもよい。
【００６０】
制御器１４１は、判定器１４１ａと、処理器１４１ｂとを含む。判定器１４１ａは、第一通信器１４３の受信器１４３ａから情報を受け取ること、第一通信器１４３の送信器１４３ｂに情報を送ること、第二通信器１４４との間で情報の送受信をすること、並びに記憶器１４２に対して情報の格納及び取り出しを行うことができるように構成される。判定器１４１ａは、受信器１４３ａから受け取る情報と記憶器１４２内の情報とに基づき、充電装置１０２による蓄電装置１０１の充電を許可するか禁止するか、つまり、充電の可否を判定する。判定器１４１ａは、充電可否の判定結果を、送信器１４３ｂに送る。これにより、充電可否の判定結果が、充電装置１０２に送信され、充電装置１０２の表示器１２５に表示される。また、判定器１４１ａは、充電可否の判定結果を、第二通信器１４４を介して通信端末１０５に送る。判定器１４１ａによる上記判定には、制御器１４１の演算処理部及び記憶部が利用される。具体的には、制御器１４１の記憶部に記憶されたプログラムが上記演算処理部に上記判定を実行させる。
【００６１】
処理器１４１ｂは、受信器１４３ａから情報を受け取ること、第二通信器１４４との間で情報の送受信をすること、課金システム１０６との間で情報の送受信をすること、並びに記憶器１４２に対して情報の格納及び取り出しを行うことができるように構成される。処理器１４１ｂは、充電装置１０２を用いた蓄電装置１０１の充電が実施されると、蓄電装置１０１及び充電装置１０２の借用者に対する課金処理を実施する。本実施の形態では、充電装置１０２を用いた蓄電装置１０１の充電１回毎に定額の充電利用料金を課す課金が実施される。処理器１４１ｂは、充電装置１０２を用いた蓄電装置１０１が実施されると、充電利用料金の請求通知を課金システム１０６に送信する。課金システム１０６は、処理器１４１ｂから受け取る情報に基づき、借用者の蓄電装置１０１の貸与に関する料金に充電利用料金を加算する。また、処理器１４１ｂは、蓄電装置１０１の充電に関する情報を、第二通信器１４４を介して、借用者の通信端末１０５に送信するように構成され得る。
【００６２】
図３を参照して、充電システム１００おけるデータ遷移を説明する。蓄電装置１０１は、充電装置１０２に電気的に接続される。そして、蓄電装置１０１は、蓄電装置１０１の識別情報である蓄電装置識別情報と、蓄電池１１１の状態を示す値である蓄電池状態値とを充電装置１０２へ送信する。充電装置１０２は、蓄電装置識別情報及び蓄電池状態値を受信し、インターネット等の通信網を介して、蓄電装置識別情報及び蓄電池状態値をサーバ装置１０４へ送信する。
【００６３】
サーバ装置１０４の第一通信器１４３の受信器１４３ａは、蓄電装置識別情報及び蓄電池状態値を受信する。さらに、サーバ装置１０４の制御器１４１の判定器１４１ａは、受信した蓄電装置識別情報及び蓄電池状態値と、記憶器１４２に記憶されている蓄電装置識別情報及び蓄電池状態値の履歴データとに基づき、蓄電装置１０１の充電の可否を判定する。そして、サーバ装置１０４の第一通信器１４３の送信器１４３ｂは、充電装置１０２へ通信網を介して充電可否情報を送信する。なお、判定器１４１ａによる判定動作の詳細は、後述する。
【００６４】
蓄電装置識別情報には、蓄電装置１０１の個体識別情報、蓄電装置１０１の設計情報、蓄電池１１１の製造情報等が含まれていてもよい。蓄電装置１０１の個体識別情報は、蓄電装置１０１に対して一意に割り当てられる識別情報であり、複数の蓄電装置から蓄電装置１０１を一意に識別するための識別情報である。蓄電装置１０１の個体識別情報は、例えば、蓄電装置１０１に対して割り当てられたシリアルナンバーである。蓄電池状態値には、蓄電池１１１の総充放電回数、学習容量、内部抵抗、総使用時間、充放電サイクル数、満充電回数、蓄電池容量、総充放電量等が含まれてよい。
【００６５】
充電装置１０２は、充電可否情報を受信する。充電装置１０２は、受信した充電可否情報に従って、蓄電装置１０１の充電を制御してもよい。又は、充電装置１０２は、受信した充電可否情報を蓄電装置１０１へ送信してもよい。そして、蓄電装置１０１が、充電可否情報を受信し、受信した充電可否情報に従って、充電装置１０２からの充電を受け入れるか否かを制御してもよい。
【００６６】
次に、図２、図３、図４、図５及び図６を参照して、サーバ装置１０４及び充電システム１００の詳細な動作を説明する。なお、図４〜図６は、サーバ装置１０４を含む充電システム１００の動作を示すフローチャートである。
【００６７】
まず、蓄電装置１０１を充電するために蓄電装置１０１が充電装置１０２に装着される（Ｓ１０１）。つまり、蓄電装置１０１が充電装置１０２に電気的に接続される。このとき、蓄電装置１０１及び充電装置１０２は、蓄電装置１０１の充電をまだ開始せず、充電開始を待機した状態を保つ。蓄電装置１０１は、充電装置１０２と物理的に接続されることによって電気的に接続されてもよく、充電装置１０２に接近させられることによって非接触給電方式で電気的に接続されてもよい。
【００６８】
蓄電装置１０１の制御器１１３は、蓄電装置１０１と充電装置１０２との電気的な接続を検知すると、蓄電装置識別情報及び蓄電池状態値を充電装置１０２へ送信する（Ｓ１０２）。具体的には、蓄電装置１０１の制御器１１３は、蓄電装置１０１の記憶器１１６から蓄電装置識別情報を取得し、充電装置１０２へ送信する。また、蓄電装置１０１の制御器１１３は、蓄電装置１０１が充電装置１０２に電気的に接続された直後に蓄電装置１０１の検知器１１２が検知する検知結果を用いて、記憶器１１６に記憶されている蓄電池１１１の蓄電池状態値を更新し、更新した蓄電池状態値を充電装置１０２へ送信する。充電装置１０２は、蓄電装置１０１から送信された蓄電装置識別情報及び蓄電池状態値を受信する。なお、蓄電装置１０１の制御器１１３は、蓄電装置１０１が充電装置１０２に電気的に接続された後に蓄電池状態値の更新を行わずに、記憶器１１６に記憶されている蓄電池１１１の蓄電池状態値を充電装置１０２へ送信してもよい。
【００６９】
次に、充電装置１０２の制御器１２３は、受信した蓄電装置識別情報及び蓄電池状態値をサーバ装置１０４へ送信する（Ｓ１０３）。このとき、充電装置１０２の制御器１２３は、記憶器１２６に記憶されている充電装置１０２の識別情報もサーバ装置１０４へ送信してもよい。
【００７０】
サーバ装置１０４の制御器１４１は、蓄電装置識別情報及び蓄電池状態値を受信する（Ｓ１０４）。そして、サーバ装置１０４の制御器１４１の判定器１４１ａは、受信した蓄電装置識別情報及び蓄電池状態値等に基づき、蓄電装置１０１への充電を許可するか禁止するかを判断する、つまり充電可否判断を行う（Ｓ１０５）。具体的には、サーバ装置１０４の判定器１４１ａは、上記蓄電装置識別情報及び蓄電池状態値を受信する前に既にサーバ装置１０４の記憶器１４２に記憶されている情報の中から、受信した蓄電装置識別情報に一致する蓄電装置識別情報と、上記蓄電装置識別情報に紐付けられている情報である蓄電装置１０１の蓄電池１１１の状態履歴データとを、検索し取得する。さらに、判定器１４１ａは、受信した蓄電池状態値と、上記蓄電池状態値よりも過去のデータである取得した蓄電池１１１の状態履歴データとを比較する。例えば、上記蓄電池１１１の状態履歴データは、上述の充電装置１０２への蓄電装置１０１の接続による新たな充電よりも前の近傍時期のデータを含み得、具体的には、上述の充電装置１０２への蓄電装置１０１の接続による新たな充電の前の回の充電完了時のデータを含み得る。なお、判定器１４１ａは、上記比較を実施した後、受信した蓄電池状態値を、取得した蓄電池１１１の状態履歴データに加えて更新し、記憶器１４２に記憶させてもよい。これにより、判定器１４１ａは、充電を開始するための処理中の蓄電池１１１の状態履歴データを記憶器１４２に記憶させる。
【００７１】
比較した結果、受信した蓄電池状態値が、蓄電池１１１の状態履歴データに対して正常であるつまり許容できる蓄電池の状態を示す場合、判定器１４１ａは、蓄電装置１０１への充電を許可する判定を行い（Ｓ１０５でＹｅｓ）、充電許可を示す情報を充電装置１０２へ送信する（Ｓ１０６）。そして、充電装置１０２の制御器１２３は、サーバ装置１０４から充電許可を示す情報を受信した後に、蓄電装置１０１の充電を開始する（図５のＳ２０１）。なお、判定器１４１ａは、充電許可を示す情報を蓄電装置１０１の借用者の通信端末１０５に送信してもよい。そして、借用者が、通信端末１０５に表示される充電許可を示すパスワード等のキーを蓄電装置１０１又は充電装置１０２に入力することによって、充電が開始されるように構成されてもよい。
【００７２】
一方、受信した蓄電池状態値が、蓄電池１１１の状態履歴データに対して正常でないつまり許容できない蓄電池の状態を示す場合、判定器１４１ａは、蓄電装置１０１への充電を禁止する判定を行い（Ｓ１０５でＮｏ）、充電禁止を示す情報を含む充電情報を蓄電装置１０１の借用者の通信端末１０５へ送信する（図６のＳ３０１）。これにより、蓄電装置１０１の充電が開始できないことが、借用者に通知される。なお、蓄電装置１０１及び充電装置１０２は、充電許可を示す情報を受け取らない限り充電を開始しないように構成されてよい。
【００７３】
また、判定器１４１ａは、蓄電装置１０１への充電を禁止する判定を行うと（Ｓ１０５でＮｏ）、充電禁止を示す情報を充電装置１０２へも送信してもよい（Ｓ１０７）。このとき、充電禁止を示す情報を受け取った充電装置１０２の制御器１２３は、充電を実施しない。さらに、制御器１２３は、充電装置１０２の表示器１２５に、充電不可を示す表示をさせてもよい。なお、充電装置１０２による充電の不実施は、充電装置１０２を介して充電禁止を示す情報を受け取った蓄電装置１０１の制御器１１３が、充電を受け付けないようにする制御を実施してもよい。なお、充電禁止を示す情報の送信先は、充電装置１０２又は通信端末１０５のいずれか一方でもよい。
【００７４】
蓄電池状態値には、蓄電池１１１の総充放電回数、学習容量、内部抵抗、総使用時間、充放電サイクル数、満充電回数、蓄電池容量、総充放電量等が含まれ得る。上記の全てのパラメータの値の算出は、蓄電装置１０１の制御器１１３によって行われてもよく、上記のパラメータの値の少なくとも一部の算出が、サーバ装置１０４の制御器１４１によって行われてもよい。
【００７５】
蓄電池１１１の総充放電回数、学習容量、内部抵抗、総使用時間、充放電サイクル数、満充電回数、蓄電池容量及び総充放電量それぞれの履歴データは、充電の実施等により新しいデータが追加されて履歴データが更新される時刻のデータも含む。記憶器１４２は、各パラメータの履歴データを時間軸に沿った時系列データとしてマップ等で記憶してもよく、充放電などの事象が起こるイベントの回数の軸に沿って変化するデータとしてマップ等で記憶してもよい。
【００７６】
総充放電回数の履歴データは、時間の経過に伴ってサーバ装置１０４に記憶されたデータであっても、イベント回数の増加に伴ってサーバ装置１０４に記憶されたデータであってもよい。総充放電回数は、借用者の使用に伴い増加し、履歴データとしては経時的に増加する傾向を示す。蓄電池１１１の劣化の進行に応じて、総充放電回数の変化量は、増加する傾向を示す。蓄電池１１１の劣化が使用限界の近くにまで進行する又は蓄電池１１１に異常が発生すると、蓄電池１１１の容量が急速に小さくなり、充放電の頻度が急速に増加する。サーバ装置１０４の判定器１４１ａは、充電装置１０２へ蓄電装置１０１を接続し、新たに充電を開始する前に蓄電装置１０１の記憶器１１６から取得した蓄電池状態値に含まれる総充放電回数と、サーバ装置１０４に記憶されている過去の総充放電回数の履歴データとを比較する。過去の総充放電回数の履歴データは、新たな充電より前の近傍時期（例えば、前回）の蓄電装置１０１の充電に際してサーバ装置１０４に記憶された総充放電回数のデータが例示される。また、新たな充電に際して蓄電装置１０１の記憶器１１６より取得された総充放電回数のデータは、新規データとしてサーバ装置１０４の履歴データに加えられる。上記比較では、総充放電回数の変化量を判定する。新たな充電を開始する際に、充電の開始前に取得された総充放電回数の過去の履歴データからの変化量が、第１閾値以上であると、判定器１４１ａは、蓄電池１１１に充電を実行できないレベルの劣化又は異常が発生しているとみなし、蓄電池１１１への充電を禁止する。ここで、上記第１閾値は、充電を実行可能と判断できる、総充放電回数の変化量の上限値よりも大きな値が設定される。
【００７７】
学習容量の履歴データは、時間の経過に伴ってサーバ装置１０４に記憶されたデータであっても、イベント回数の増加に伴ってサーバ装置１０４に記憶されたデータであってもよい。学習容量は、時間の経過及びイベント回数の増加に伴い減少する傾向を示す。蓄電池１１１の劣化が使用限界の近くにまで進行する又は蓄電池１１１に異常が発生すると、学習容量が急激に小さくなる。サーバ装置１０４の判定器１４１ａは、充電装置１０２への蓄電装置１０１の接続後の新たな充電を開始する前に蓄電装置１０１の記憶器１１６から取得した蓄電池状態値に含まれる学習容量と、サーバ装置１０４に記憶されている過去の学習容量の履歴データとを比較する。過去の学習容量の履歴データは、新たな充電より前の近傍時期（例えば、前回）の蓄電装置１０１の充電に際してサーバ装置１０４に記憶された学習容量のデータが例示される。また、新たな充電に際して蓄電装置１０１の記憶器１１６より取得された学習容量のデータは、新規データとしてサーバ装置１０４の履歴データに加えられる。上記比較では、学習容量の変化量を判定する。新たな充電を開始する際に、充電の開始前に取得された学習容量の過去の履歴データからの変化量が、第２閾値以上であると、判定器１４１ａは、蓄電池１１１に充電を実行できないレベルの劣化又は異常が発生しているとみなし、蓄電池１１１への充電を禁止する。ここで、上記第２閾値は、充電を実行可能と判断できる、学習容量の変化量の上限値よりも大きな値が設定される。
【００７８】
内部抵抗の履歴データは、時間の経過に伴ってサーバ装置１０４に記憶されたデータであっても、イベント回数の増加に伴ってサーバ装置１０４に記憶されたデータであってもよい。内部抵抗は、時間の経過及びイベント回数の増加に伴い増加する傾向を示す。蓄電池１１１の劣化が使用限界の近くにまで進行する又は蓄電池１１１に異常が発生すると、内部抵抗が急速に大きくなる。サーバ装置１０４の判定器１４１ａは、充電装置１０２への蓄電装置１０１の接続後の新たな充電を開始する前に蓄電装置１０１の記憶器１１６から取得した蓄電池状態値に含まれる内部抵抗と、サーバ装置１０４に記憶されている過去の内部抵抗の履歴データとを比較する。過去の内部抵抗の履歴データは、新たな充電より前の近傍時期（例えば、前回）の蓄電装置１０１の充電に際してサーバ装置１０４に記憶された内部抵抗のデータが例示される。また、新たな充電に際して蓄電装置１０１の記憶器１１６より取得された内部抵抗のデータは、新規データとしてサーバ装置１０４の履歴データに加えられる。上記比較では、内部抵抗の変化量を判定する。新たな充電を開始する際に、充電の開始前に取得された内部抵抗の過去の履歴データからの変化量が、第３閾値以上であると、判定器１４１ａは、蓄電池１１１に充電を実行できないレベルの劣化又は異常が発生しているとみなし、蓄電池１１１への充電を禁止する。ここで、上記第３閾値は、充電を実行可能と判断できる、内部抵抗の変化量の上限値よりも大きな値が設定される。
【００７９】
総使用時間の履歴データは、時間の経過に伴ってサーバ装置１０４に記憶されたデータであっても、イベント回数の増加に伴ってサーバ装置１０４に記憶されたデータであってもよい。総使用時間は、借用者の使用に伴い増加し、履歴データとしては経時的に増加する傾向を示す。サーバ装置１０４の判定器１４１ａは、充電装置１０２への蓄電装置１０１の接続後の新たな充電を開始する前に蓄電装置１０１の記憶器１１６から取得した蓄電池状態値に含まれる総使用時間と、サーバ装置１０４に記憶されている過去の総使用時間の履歴データとを比較する。過去の総使用時間の履歴データは、新たな充電より前の近傍時期（例えば、前回）の蓄電装置１０１の充電に際してサーバ装置１０４に記憶された総使用時間のデータが例示される。また、新たな充電に際して蓄電装置１０１の記憶器１１６より取得された総使用時間のデータは、新規データとしてサーバ装置１０４の履歴データに加えられる。上記比較では、総使用時間の変化量を判定する。新たな充電を開始する際に、充電の開始前に取得された総使用時間の過去の履歴データからの変化量が、第４閾値以上であると、判定器１４１ａは、蓄電池１１１に充電を実行できないレベルの劣化又は異常が発生しているとみなし、蓄電池１１１への充電を禁止する。これは、新たな充電を開始するときと近傍時期（例えば、前回の充電の際）との間の総使用時間の変化量には上限があるが、この上限を超えると蓄電池１１１に異常が生じている可能性が高いからである。そして、上記第４閾値は、充電を実行可能と判断できる、総使用時間の変化量の上限値よりも大きな値が設定される。
【００８０】
充放電サイクル数の履歴データは、時間の経過に伴ってサーバ装置１０４に記憶されたデータであってもイベント回数の増加に伴ってサーバ装置１０４に記憶されたデータであってもよい。蓄電池１１１の劣化が使用限界の近くにまで進行する又は蓄電池１１１に異常が発生すると、充放電サイクル数が急速に増加する。サーバ装置１０４の判定器１４１ａは、充電装置１０２への蓄電装置１０１の接続後の新たな充電を開始する前に蓄電装置１０１の記憶器１１６から取得した蓄電池状態値に含まれる充放電サイクル数と、サーバ装置１０４に記憶されている過去の充放電サイクル数の履歴データとを比較する。過去の充放電サイクル数の履歴データは、新たな充電より前の近傍時期（例えば、前回）の蓄電装置１０１の充電に際してサーバ装置１０４に記憶された充放電サイクル数のデータが例示される。また、新たな充電に際して蓄電装置１０１の記憶器１１６より取得された充放電サイクル数のデータは、新規データとしてサーバ装置１０４の履歴データに加えられる。上記比較では、充放電サイクル数の変化量を判定する。新たな充電を開始する際に、充電の開始前に取得された充放電サイクル数の過去の履歴データからの変化量が、第５閾値以上であると、判定器１４１ａは、蓄電池１１１に充電を実行できないレベルの劣化又は異常が発生しているとみなし、蓄電池１１１への充電を禁止する。これは、新たな充電を開始するときと近傍時期（例えば、前回の充電の際）との間の充放電サイクル数の変化量には上限があるが、この上限を超えると蓄電池１１１に異常が生じている可能性が高いからである。ここで、上記第５閾値は、充電を実行可能と判断できる、充放電サイクル数の変化量の上限値よりも大きな値が設定される。
【００８１】
満充電回数の履歴データは、時間の経過に伴ってサーバ装置１０４に記憶されたデータであっても、イベント回数の増加に伴ってサーバ装置１０４に記憶されたデータであってもよい。蓄電池１１１の劣化が使用限界の近くにまで進行する又は蓄電池１１１に異常が発生すると、満充電回数が急速に増加する。サーバ装置１０４の判定器１４１ａは、充電装置１０２への蓄電装置１０１の接続後の新たな充電を開始する前に蓄電装置１０１の記憶器１１６から取得した蓄電池状態値に含まれる満充電回数と、サーバ装置１０４に記憶されている過去の満充電回数の履歴データとを比較する。過去の満充電回数の履歴データは、新たな充電より前の近傍時期（例えば、前回）の蓄電装置１０１の充電に際してサーバ装置１０４に記憶された満充電回数のデータが例示される。また、新たな充電に際して蓄電装置１０１の記憶器１１６より取得された満充電回数のデータは、新規データとしてサーバ装置１０４の履歴データに加えられる。上記比較では、満充電回数の変化量を判定する。新たな充電を開始する際に、充電の開始前に取得された満充電回数の過去の履歴データからの変化量が、第６閾値以上であると、判定器１４１ａは、蓄電池１１１に充電を実行できないレベルの劣化又は異常が発生しているとみなし、蓄電池１１１への充電を禁止する。これは、新たな充電を開始するときと近傍時期（例えば、前回の充電の際）との間の満充電回数の変化量には上限があるが、この上限を超えると蓄電池１１１に異常が生じている可能性が高いからである。ここで、上記第６閾値は、充電を実行可能と判断できる、満充電回数の変化量の上限値よりも大きな値が設定される。
【００８２】
蓄電池１１１の総充放電回数、学習容量、内部抵抗、総使用時間、充放電サイクル数及び満充電回数のような蓄電池１１１の状態を示す値を用いた蓄電池１１１の充電可否の判定は、劣化又は異常が蓄電池１１１に生じているか否かに基づく判定である。よって、上記充電可否の判定によって、劣化又は異常が生じた蓄電池１１１の使用の継続が抑えられる。上記充電可否の判定で用いられる閾値は、蓄電池１１１の劣化の進行度に対応して変えられ得る。上記充電可否の判定では、新たな充電開始に際して充電開始前にサーバ装置１０４が取得する蓄電池１１１の状態を示す値と、新たな充電より前の近傍時期（例えば、前回）の蓄電池１１１の充電に際してサーバ装置１０４に記憶されている蓄電池１１１の状態を示す値との差異が、判定対象要素とされる。
【００８３】
蓄電池容量つまり蓄電池電気残量の履歴データは、時間の経過に伴ってサーバ装置１０４に記憶されたデータであっても、イベント回数の増加に伴ってサーバ装置１０４に記憶されたデータであってもよい。サーバ装置１０４の判定器１４１ａは、新たな充電を開始するにあたって充電開始前に取得した蓄電池容量の新規データつまり充電開始直前の蓄電池容量と、記憶器１４２に記憶されていた、新たな充電より前の近傍時期（例えば、前回の充電完了時）の蓄電池容量の履歴データとを比較する。判定器１４１ａは、上記新規データと履歴データとの差が第７閾値以下であるときに、蓄電池１１１への充電を禁止する。これにより、少量の放電で充電を行うことによる高頻度の充放電の繰り返しが、抑制される。ここで、第７閾値は、高頻度の充放電の繰り返しを抑制するために適宜設定される。
【００８４】
総充放電回数の履歴データは、時間の経過に伴ってサーバ装置１０４に記憶されたデータであっても、イベント回数の増加に伴ってサーバ装置１０４に記憶されたデータであってもよい。サーバ装置１０４の判定器１４１ａは、新たに充電開始する際に充電開始前に取得した総充放電回数の新規データと、記憶器１４２に記憶されていた、新たな充電より前の近傍時期（例えば、前回の充電の際）の総充放電回数の履歴データとを比較する。判定器１４１ａは、上記新規データと履歴データとの差が、第８閾値以下であるときに、蓄電池１１１への充電を禁止する。総充放電回数では、蓄電池１１１が満充電容量にまで充電されると１回の充電としてカウントされ、蓄電池１１１の残容量が使用下限値になるまで放電すると１回の放電としてカウントされる。使用下限値とは、電気機器が蓄電池１１１の電力を使用可能な蓄電池１１１の容量の下限値を意味する。この容量の下限値であるときの蓄電池１１１の電圧は放電終止電圧よりも高い。ここで、総充放電回数の差異が小さいと、蓄電池１１１は、十分放電されていない状態で充電され、高頻度の充放電の繰り返しが実行されることになるが、上記制御によりこれが抑制される。なお、上記第８の閾値は、上記第１の閾値よりも小さい値が設定される。
【００８５】
総充放電量の履歴データは、時間の経過に伴ってサーバ装置１０４に記憶されたデータであっても、イベント回数の増加に伴ってサーバ装置１０４に記憶されたデータであってもよい。サーバ装置１０４の判定器１４１ａは、新たに充電を開始する際に充電開始前に取得した総充放電量の新規データと、記憶器１４２に記憶されていた、新たな充電より前の近傍時期（例えば、前回の充電の際）の総充放電量の履歴データとを比較する。判定器１４１ａは、上記新規データと履歴データとの差が、第９閾値以下であるときに、蓄電池１１１への充電を禁止する。ここで、総充放電量の差異が小さいと、蓄電池１１１は、十分放電されていない状態で充電され、高頻度の充放電の繰り返しが実行されることになるが、上記制御によりこれが抑制される。
【００８６】
蓄電池１１１の蓄電池容量、総充放電回数及び総充放電量のような蓄電池１１１の状態を示す値を用いた蓄電池１１１の充電可否の判定は、新たな充電が、蓄電池１１１を劣化させる要因となる不十分な放電状態での繰り返し充電に相当するか否かに基づく判定である。上記充電可否の判定によって、蓄電池１１１の劣化の進行が抑えられる。上記充電可否の判定で用いられる閾値は、蓄電池１１１の劣化の進行度に対応して変えられ得る。
【００８７】
充電装置１０２の制御器１２３は、蓄電装置１０１の充電を開始した（Ｓ２０１）後、充電が開始されたことを示す充電開始情報をサーバ装置１０４へ送信する（Ｓ２０２）。
【００８８】
サーバ装置１０４の制御器１４１の処理器１４１ｂは、充電開始情報を受信した後、充電利用料金の課金処理を行う（Ｓ２０３）。例えば、サーバ装置１０４の処理器１４１ｂは、サーバ装置１０４が課金システム１０６を含む場合、蓄電装置１０１の貸与に関する料金に蓄電装置１０１の充電利用料金を加算する。サーバ装置１０４が課金システム１０６を含まない場合、処理器１４１ｂは、外部の課金システム１０６に充電の開始又は課金実行を通知してもよい。さらに、サーバ装置１０４の制御器１４１の処理器１４１ｂは、蓄電装置１０１の借用者の通信端末１０５へ充電開始情報を送信する（Ｓ２０４）。
【００８９】
次に、充電装置１０２の制御器１２３は、充電が完了したか否かを判定する（Ｓ２０５）。そして、制御器１２３は、充電が完了するまで、充電が完了したか否かの判定を繰り返し、充電が完了すれば、充電を停止する（Ｓ２０６）。なお、制御器１２３は、蓄電装置１０１の異常な電圧上昇、蓄電装置１０１の異常な電流上昇、又は蓄電装置１０１の異常な温度上昇等の蓄電装置１０１の異常を検知した場合も、充電を停止する。制御器１２３は、蓄電装置１０１が充電装置１０２から取り外された場合も、充電を停止する。上記の充電の完了の判定を、蓄電装置１０１の制御器１１３が行ってもよい。このとき、充電が完了すれば、蓄電装置１０１の制御器１１３が、充電装置１０２からの給電の受け入れを停止する、又は充電装置１０２に充電停止を指令してもよい。
【００９０】
次いで、サーバ装置１０４の制御器１４１の処理器１４１ｂは、蓄電装置１０１の充電に関する情報（充電の結果）である充電情報を通信端末１０５へ送信する（Ｓ３０１）。本例では、充電情報には、充電許可を示す情報、充電禁止を示す情報が含まれる。なお、充電情報には、充電許可を示す情報を含まず、充電禁止を示す情報を含み、充電が禁止された場合にのみ、サーバ装置１０４が、通信端末１０５に充電禁止を示す情報を送信する形態であってもよい。つまり、充電情報には、少なくとも充電禁止を示す情報が含まれていればよい。また、充電情報には、蓄電装置１０１の充電が正常に終了したことを示す正常充電終了情報、蓄電装置１０１の充電が異常に終了したことを示す異常充電終了情報、充電開始時刻、充電終了時刻及び蓄電装置１０１の蓄電池１１１の状態を示す情報等が含まれていてもよい。
【００９１】
次いで、サーバ装置１０４の処理器１４１ｂは、充電情報を含む蓄電池１１１の蓄電池状態情報を蓄電装置１０１の蓄電装置識別情報と対応付けて記憶器１４２に記憶させる（Ｓ３０２）。処理器１４１ｂは、充電情報を含む蓄電池状態情報を用いて、記憶器１４２に記憶されている蓄電池１１１の状態履歴データを更新する。充電情報を含む蓄電池状態情報は、充電許可を示す情報、充電禁止を示す情報等の上記に例示される充電情報、充電禁止による充電不実施、充電の正常終了による充電実施、その時刻及び充電量、充電の異常終了による充電実施、その時刻及び充電量、並びに、その他の充電中及び充電完了時の蓄電池１１１の状態を示す情報等を含んでよい。
【００９２】
上記の一連の動作では、蓄電装置１０１の蓄電池１１１に許容を超える劣化若しくは異常が生じている、又は、充電が蓄電池１１１の劣化を早める可能性がある場合に、充電が行われない。これにより、上述のような蓄電池１１１の劣化及び破損が抑制される。さらに、上述のような蓄電池１１１に充電を行っても十分な充電量及び放電量が得られないため、そのような蓄電池１１１へ充電を行うことによる借用者への不適切な課金の発生が、抑えられる。
【００９３】
上述したように、本実施の形態に係るサーバ装置１０４は、受信器１４３ａと記憶器１４２と判定器１４１ａと送信器１４３ｂとを備える。受信器１４３ａは、充電装置１０２より、充電装置１０２に接続された蓄電装置１０１の識別情報と蓄電装置１０１に含まれる蓄電池１１１の状態を示す値とを受信する。蓄電装置１０１と充電装置１０２との接続は、電気的な接続を含み、物理的な接続を介するものでも、無線による接続を介するものでもよい。記憶器１４２は、蓄電装置１０１の識別情報と蓄電池１１１の状態を示す値の履歴とを対応付けて記憶する。判定器１４１ａは、受信器１４３ａより受信した蓄電池１１１の状態を示す値と、受信器１４３ａより受信した蓄電装置１０１の識別情報に対応し且つ記憶器１４２に記憶された蓄電池１１１の過去の状態を示す値とを比較して、蓄電装置１０１の充電の可否を判定する。送信器１４３ｂは、判定器１４１ａで判定された蓄電装置１０１の充電の可否を示す情報を充電装置１０２に送信する。
【００９４】
上述の構成において、サーバ装置１０４は、蓄電装置１０１の蓄電池１１１の状態が、充電に適切か不適切であるかを、蓄電池１１１の状態を示す値と蓄電池１１１の過去の状態を示す値とから、判定する。よって、充電に不適切な蓄電池１１１に対する充電が抑制され得る。
【００９５】
本実施の形態に係るサーバ装置１０４において、判定器１４１ａは、充電装置１０２による蓄電装置１０１の充電が開始される前に、充電装置１０２より受信した蓄電池１１１の状態を示す値が、蓄電池１１１の過去の状態を示す値と比較して閾値未満変化していると、蓄電装置１０１の充電可と判定し、充電装置１０２による蓄電装置１０１の充電が開始される前に、充電装置１０２より受信した蓄電池１１１の状態を示す値が、蓄電池１１１の過去の状態を示す値と比較して閾値以上変化していると、蓄電装置１０１の充電不可と判定してよい。
【００９６】
上述の構成において、蓄電装置１０１の充電が開始される前に、蓄電装置１０１の充電の可否が判定される。充電装置１０２より受信した蓄電池１１１の状態を示す値における蓄電池１１１の過去の状態を示す値に対する変化量が、閾値以上であると、蓄電装置１０１の充電不可が判定される。例えば、上記の蓄電池１１１の状態を示す値を蓄電池１１１の劣化、異常等の有無の判定基準となるパラメータ、つまり蓄電池１１１の健全性に関連するパラメータとすると、蓄電池１１１の状態を示す値の上記変化量が閾値以上となるような場合、蓄電池１１１が不健全な状態であるとみなすことができる。よって、不健全な状態の蓄電池１１１への充電が抑制される。
【００９７】
一方、本実施の形態に係るサーバ装置１０４において、判定器１４１ａは、充電装置１０２による蓄電装置１０１の充電が開始される前に、充電装置１０２より受信した蓄電池１１１の状態を示す値が、蓄電池１１１の過去の状態を示す値と比較して閾値以上変化していると、蓄電装置１０１の充電可と判定し、充電装置１０２による蓄電装置１０１の充電が開始される前に、充電装置１０２より受信した蓄電池１１１の状態を示す値が、蓄電池１１１の過去の状態を示す値と比較して閾値未満変化していると、蓄電装置１０１の充電不可と判定してもよい。
【００９８】
さらに、充電装置１０２による蓄電装置１０１の充電が開始される前に、充電装置１０２より受信した蓄電池１１１の状態を示す値が、充電装置１０２による蓄電装置１０１の充電が開始される前の蓄電池１１１の容量であり、蓄電池１１１の過去の状態を示す値が、蓄電池１１１の過去の充電完了時の容量であってもよい。
【００９９】
上述の構成において、蓄電装置１０１の充電が開始される前に、蓄電装置１０１の充電の可否が判定される。充電装置１０２より受信した蓄電池１１１の状態を示す値における蓄電池１１１の過去の状態を示す値に対する変化量が、閾値未満であると、蓄電装置１０１の充電不可が判定される。例えば、上記の蓄電池１１１の状態を示す値を、蓄電池１１１の容量のような、新たな充電が蓄電池１１１を劣化させる要因となるかの判定基準となるパラメータ、つまり蓄電池１１１の充電状態に関連するパラメータとすると、蓄電池１１１の状態を示す値の上記変化量が閾値未満となるような場合、蓄電池１１１が、完全放電状態でもその近傍の状態でもなく、少量の放電量の状態で充電される場合がある。よって、蓄電池１１１への少量での充放電の繰り返しが抑えられ、それにより、蓄電池１１１の劣化の進行が抑制される。
【０１００】
また、上記の説明において、充電の可否を示す情報は、充電の可又は充電の不可を示す情報である。従って、充電の可否を示す情報は、充電の可を示す情報でもよく、充電の不可を示す情報でもよい。また、充電の可否は、充電の許否を意味してもよい。つまり、充電可は充電許可を意味してもよく、充電不可は充電禁止を意味してもよい。
【０１０１】
以上のように、本開示におけるサーバ装置等によって、蓄電装置の蓄電池の状態に基づいた蓄電装置の管理が可能になる。
【０１０２】
なお、上記実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行器が、ハードディスク又は半導体メモリなどの記録媒体に記録されたソフトウェアプログラムを読み出して実行することによって実現されてもよい。ここで、上記実施の形態のサーバ装置などを実現するソフトウェアは、次のようなプログラムである。
【０１０３】
すなわち、このプログラムは、コンピュータに、充電装置及び蓄電装置の少なくとも一方より、充電装置に接続された蓄電装置の識別情報と蓄電装置に含まれる蓄電池の状態を示す値とを受信するステップ（ａ）と、蓄電装置の識別情報と蓄電池の状態を示す値とを対応付けて記憶するステップ（ｂ）と、充電装置による蓄電装置の充電が開始される前に、充電装置及び蓄電装置の少なくとも一方より受信した蓄電池の状態を示す値と、充電装置及び蓄電装置の少なくとも一方より受信した蓄電装置の識別情報に対応し且つ記憶されている蓄電池の過去の状態を示す値とを比較して、蓄電装置の充電の可否を判定するステップ（ｃ）と、判定された蓄電装置の充電の可否を示す情報を充電装置及び蓄電装置の少なくとも一方に送信するステップ（ｄ）とを実行させる。
【０１０４】
また、上記実施の形態において、各構成要素は、回路でもよい。複数の構成要素が、全体として１つの回路を構成してもよいし、それぞれ別々の回路を構成してもよい。また、回路は、それぞれ、汎用的な回路でもよいし、専用の回路でもよい。
【０１０５】
（その他の変形例）
以上、本出願において開示する技術の例示として、一つまたは複数の態様に係るサーバ装置などについて、実施の形態に基づいて説明した。しかしながら、本開示における技術は、この実施の形態に限定されるものではなく、適宜、変更、置き換え、付加、省略などを行った実施の形態の変形例又は他の実施の形態にも適用可能である。本開示の趣旨を逸脱しない限り、当業者が思いつく各種変形を本実施の形態に施したもの、及び異なる実施の形態における構成要素を組み合わせて構築される形態も、一つまたは複数の態様の範囲内に含まれてもよい。
【０１０６】
実施の形態に係るサーバ装置１０４を含む充電システム１００では、蓄電装置１０１は、サーバ装置１０４との通信を実施しないように構成されていたが、これに限定されるものでない。図７に示すように、蓄電装置１０１は、充電装置１０２等と通信するための第一通信器としての通信器１１４と、サーバ装置１０４等と通信するための第二通信器１１７とを備えてもよい。第二通信器１１７は、充電装置１０２の第二通信器１２７と同様の構成であってよい。そして、蓄電装置１０１は、第二通信器１１７及びルータ１０３を介してインターネット等の通信網に接続し、上記通信網を介してサーバ装置１０４と通信してよい。このとき、充電装置１０２は、第二通信器１２７を備えていても備えていなくてもよい。
【０１０７】
蓄電装置１０１及び充電装置１０２がサーバ装置１０４と通信可能である場合、実施の形態において充電装置１０２とサーバ装置１０４との間で実施されていた送受信の全てが、蓄電装置１０１によって実施されてもよく、充電装置１０２によって実施されてもよく、蓄電装置１０１及び充電装置１０２の両方によって実施されてもよい。又は、実施の形態において充電装置１０２とサーバ装置１０４との間で実施されていた送受信のうちの一部が、蓄電装置１０１によって実施され、上記送受信のうちのその他が、充電装置１０２によって実施されてもよい。蓄電装置１０１のみがサーバ装置１０４と通信可能である場合、実施の形態において充電装置１０２とサーバ装置１０４との間で実施されていた送受信の全てが、蓄電装置１０１によって実施されてもよい。
【０１０８】
実施の形態に係るサーバ装置１０４を含む充電システム１００では、蓄電装置１０１及び充電装置１０２がセットで同一の借用者に貸与されていたが、蓄電装置１０１及び充電装置１０２が別々の借用者に貸与されてもよい。この場合、充電利用料金が、蓄電装置１０１の借用者及び充電装置１０２の借用者のいずれに課されるように構成されてもよい。
【０１０９】
例えば、上記実施の形態において、特定の構成要素が実行する処理を特定の構成要素の代わりに別の構成要素が実行してもよい。また、複数の処理の順序が変更されてもよく、複数の処理が並行して実行されてもよい。
【産業上の利用可能性】
【０１１０】
本開示は、蓄電装置の充電の可否を判定するサーバ装置等に利用可能であり、蓄電装置の充電システム、蓄電装置の貸与システム、蓄電装置の管理システム、及び課金システム等に適用可能である。
【符号の説明】
【０１１１】
１００  充電システム
１０１  蓄電装置
１０２  充電装置
１０３  ルータ
１０４  サーバ装置
１１１  蓄電池
１４１ａ  判定器
１４２  記憶器
１４３ａ  受信器
１４３ｂ  送信器
【図１】
2017127181.tif 000003
【図２】
2017127181.tif 000004
【図３】
2017127181.tif 000005
【図４】
2017127181.tif 000006
【図５】
2017127181.tif 000007
【図６】
2017127181.tif 000008
【図７】
2017127181.tif 000009